(57)【要約】【課題】メンテナンス作業性の向上および部品の共通化を実現する多軸時計ムーブメントを提供する。【解決手段】ムーブメント１６は、基板１７ａと、基板１７ａ上にあって、ステップモーター４０およびステップモーター４０の出力を伝達する輪列２６と、輪列２６を基板１７ａとの間に軸支持する輪列受２３と、を備える複数の駆動モジュール１８と、複数の駆動モジュール１８の各々を、異なる位置に固定する地板１７と、を備える。【選択図】図２Ａ
2020153893.tif 000002
【特許請求の範囲】
【請求項１】
基板と、
前記基板上にあって、ステップモーターおよび前記ステップモーターの出力を伝達する輪列と、前記輪列を前記基板との間に軸支持する輪列受と、を備える複数の駆動モジュールと、
前記駆動モジュールの各々を、異なる位置に固定する地板と、を備えることを特徴とする多軸時計ムーブメント。
【請求項２】
前記駆動モジュールの各々は、前記基板、前記ステップモーター、前記輪列および前記輪列受が共通部品で構成されており、指針が取り付けられる出力軸を備える、
ことを特徴とする請求項１に記載の多軸時計ムーブメント。
【請求項３】
前記駆動モジュールの各々は、前記輪列が共通部品で構成されている、
ことを特徴とする請求項２に記載の多軸時計ムーブメント。
【請求項４】
前記出力軸には、小秒針、分針、時針、２４時針、曜日表示針および日付表示針のいずれかが取り付けられる
ことを特徴とする請求項２に記載の多軸時計ムーブメント。
【請求項５】
前記地板は、前記出力軸が複数の位置に配置が可能なように、複数個所に穴が設けられている、
ことを特徴とする請求項２または請求項３に記載の多軸時計ムーブメント。
【請求項６】
前記地板には、複数の前記駆動モジュールの駆動源となる電池が配置される電池保持部が設けられ、
前記地板の平面方向に対して垂直な方向からの平面視で、前記電池保持部と複数の前記駆動モジュールとが重ならないよう配置されている、
ことを特徴とする請求項１から請求項４のいずれか一項に記載の多軸時計ムーブメント。
【請求項７】
前記地板に配置されるねじピンと、ねじと、をさらに備え、
前記輪列受には第１の貫通穴が設けられ、前記基板には第２の貫通穴が設けられ、
前記地板の平面方向に対して垂直な方向からの平面視で、前記第１の貫通穴、第２の貫通穴、前記ねじピンおよび前記ねじを同軸上に配置して前記駆動モジュールを前記地板に固定している、
ことを特徴とする請求項１から請求項５のいずれか一項に記載の多軸時計ムーブメント。
【請求項８】
請求項１から請求項６のいずれか一項に記載の多軸時計ムーブメントと、
複数の前記駆動モジュールの駆動源である電源と、
第１指針と、
第２指針と、
第３指針と、を備える、
ことを特徴とする時計。
【請求項９】
請求項７に記載の時計において、
前記第１指針は時針であり、前記第２指針は分針であり、
前記時針および前記分針は前記時計の表示面の中央部に配置され、
前記第３指針は小秒針、２４時針、曜日表示針および日付表示針のいずれかであり、
前記表示面に対して垂直な方向からの平面視で、前記第３指針は前記時針および前記分針の移動軌跡に重なるよう配置されている、
ことを特徴とする時計。
【発明の詳細な説明】
【技術分野】
【０００１】
本発明は、多軸時計ムーブメントおよび時計に関する。
【背景技術】
【０００２】
従来、アナログ式でありながら、ストップウォッチ機能を持つクロノグラフやＧＰＳ（Global Positioning System）による時刻修正、また時刻表示以外の高度、気圧、方位や活動量などの計測機能を有する多軸時計が知られていた。例えば、特許文献１には、地板上にあるモーターおよびモーターの回転を伝達するための輪列を複数有するアナログ多機能時計が開示されている。
【先行技術文献】
【特許文献】
【０００３】
【特許文献１】特開平７−１５１８７１号公報
【発明の概要】
【発明が解決しようとする課題】
【０００４】
しかしながら、特許文献１に記載のアナログ多機能時計では、１つの輪列受と地板との間にすべての輪列が配置されて保持されている。つまり、１つの輪列受で、すべての輪列が軸支持されている。そのため、例えば１つのモーターの回転を伝達する輪列のメンテナンス、例えば、歯車部品の状態確認、歯車交換などを行う際に、取外す必要のない他のモーターの輪列の軸支持も外れてしまうことになる。これにより、メンテナンス終了後に、歯車軸支持不良、針位置検出機能付きの場合は歯車かみ合い位相差ずれなどが生じやすくなることがあった。すなわち、多軸時計においてメンテナンスなどの作業性を向上させにくいという課題があった。
【課題を解決するための手段】
【０００５】
本願の多軸時計ムーブメントは、基板と、基板上にあって、ステップモーターおよびステップモーターの出力を伝達する輪列と、輪列を基板との間に軸支持する輪列受と、を備える複数の駆動モジュールと、駆動モジュールの各々を、異なる位置に固定する地板と、を備える。
【０００６】
上記の多軸時計ムーブメントにおいて、駆動モジュールの各々は、基板、ステップモーター、輪列および輪列受が共通部品で構成されており、指針が取り付けられる出力軸を備えていることが好ましい。
【０００７】
上記の多軸時計ムーブメントにおいて、駆動モジュールの各々は、輪列が共通部品で構成されていることが好ましい。
【０００８】
上記の多軸時計ムーブメントにおいて、出力軸には、小秒針、分針、時針、２４時針、曜日表示針および日付表示針のいずれかが取り付けられることが好ましい。
【０００９】
上記の多軸時計ムーブメントにおいて、地板は、出力軸が複数の位置に配置が可能なように、複数個所に穴が設けられていることが好ましい。
【００１０】
上記の多軸時計ムーブメントにおいて、地板には、複数の駆動モジュールの駆動源となる電池が配置される電池保持部が設けられ、地板の平面方向に対して垂直な方向からの平面視で、電池保持部と複数の駆動モジュールとが重ならないよう配置されていることが好ましい。
【００１１】
上記の多軸時計ムーブメントにおいて、地板に配置されるねじピンと、ねじと、をさらに備え、輪列受には第１の貫通穴が設けられ、基板には第２の貫通穴が設けられ、地板の平面方向に対して垂直な方向からの平面視で、第１の貫通穴、第２の貫通穴、ねじピンおよびねじを同軸上に配置して駆動モジュールを地板に固定していることが好ましい。
【００１２】
本願の時計は、上記の多軸時計ムーブメントと、複数の駆動モジュールの駆動源である電源と、第１指針と、第２指針と、第３指針と、を備える。
【００１３】
上記の時計において、第１指針は時針であり、第２指針は分針であり、時針および分針は時計の表示面の中央部に配置され、第３指針は小秒針、２４時針、曜日表示針および日付表示針のいずれかであり、表示面に対して垂直な方向からの平面視で、第３指針は時針および分針の移動軌跡に重なるよう配置されていることが好ましい。
【図面の簡単な説明】
【００１４】
【図１】第１実施形態に係る多軸時計の外観を示す平面図。
【図２Ａ】ムーブメントを裏側から見た平面図。
【図２Ｂ】駆動モジュールの構成を示す平面図。
【図３】多軸時計の指針の回転軸を示す断面図。
【図４】第２実施形態に係る多軸時計の外観を示す平面図。
【図５】ムーブメントを裏側から見た平面図。
【図６】第３実施形態に係る多軸時計の外観を示す平面図。
【図７】ムーブメントを裏側から見た平面図。
【図８】第４実施形態に係る多軸時計の外観を示す平面図。
【図９】ムーブメントを裏側から見た平面図。
【発明を実施するための形態】
【００１５】
以下、本発明の実施形態について、図面を参照して説明する。以下に説明する実施の形態は、本発明の一例を説明するものである。本発明は、以下の実施の形態に限定されるものではなく、本発明の要旨を変更しない範囲において実施される各種の変形例も、本発明に含まれる。なお、以下の各図においては、各部材を認識可能な程度の大きさにするため、各部材の尺度を実際とは異ならせしめている。
【００１６】
［第１実施形態］
第１実施形態の時計、ムーブメントおよび駆動モジュールについて図を参照して説明する。なお、第１実施形態では、多軸時計としてクロノグラフ機能を持つ時計を例に挙げて説明する。また、以降の説明において、多軸時計を単に時計ともいう。
（時計）
一般に、時計の駆動部分を含む機械体を「ムーブメント」と称する。このムーブメントに文字板、指針を取り付けて、時計ケースの中に入れて完成品にした状態を時計の「コンプリート」と称する。また、ムーブメントの基板である地板に対する時計ケースのガラス側、すなわち、文字板側をムーブメントの「裏側」と称する。また、地板に対する時計ケースのケース裏蓋側、すなわち、文字板とは反対側をムーブメントの「表側」と称する。ここで、本実施形態のムーブメントは、地板平面に対して複数位置に出力軸を配置していることから、多軸時計ムーブメントである。
【００１７】
図１は、第１実施形態に係る多軸時計の外観を示す平面図である。図１に示すように、本実施形態に係る時計１のコンプリートは、ケース裏蓋（不図示）およびガラス２を含む時計ケース３の内部に、後述する複数の駆動モジュールを有するムーブメント、文字板４、後述する指針（通常時刻を指示する時針５、分針６、小秒針７とストップウォッチ時刻を指示するクロノ時針８、クロノ分針９、クロノ小秒針１０）、電池（不図示）、指針の調節などを行うためのリューズ１４、手首などに装着するためのバンド１５を備える。
【００１８】
指針は、第１指針〜第６指針を含む。第１指針としての時針５および第２指針としての分針６は、時計１の表示面の中央部に配置されている。第３指針として小秒針７、第４指針としてのクロノ時針８および第５指針としてのクロノ分針９、第６指針としてクロノ小秒針１０は、時計１の表示面に対して垂直な方向からの平面視で、時針５および分針６の移動軌跡に重なるよう配置されている。なお、以降の説明において、時計１の表示面に対して垂直な方向からの平面視を、単に平面視ともいう。
【００１９】
図１に示すように、文字板４は、円板状に形成されている。文字板４は、時針５、分針６に対応する主表示領域１１と、小秒針７、クロノ時針８、クロノ分針９、クロノ小秒針１０に対応する副表示領域１２と、を有する。主表示領域１１には、時針５、分針６の先端により指示される目盛りが、文字板４の外周に沿って円周状に設けられている。副表示領域１２には、小秒針７、クロノ時針８、クロノ分針９、クロノ小秒針１０の先端により指示される目盛りが、各副表示領域１２の外周に沿って円周状に設けられている。本実施形態の時計１では、副表示領域１２は、通常時刻を指示する小秒針７、ストップウォッチ時刻を指示するクロノ時針８、クロノ分針９、クロノ小秒針１０との組み合わせにより、クロノグラフ機能を表示可能としている。文字板４、各指針は、ガラス２を通じて視認可能に配置されている。
【００２０】
（ムーブメント）
時計ケース３の側面のうち、２時に位置する部分、および４時に位置する部分のそれぞれにはボタン１３が設けられている。ボタン１３は、ストップウォッチのスタート、ストップ、リセット、スプリット等に用いられる。
【００２１】
次に、ムーブメントの構成について図２Ａを参照して説明する。図２Ａは、ムーブメントを裏側から見た平面図である。図２Ａに示すように、ムーブメント１６ａ（以下、単にムーブメント１６ともいう）は、後述する地板１７上に、４つの駆動モジュール１８ａ〜１８ｄ（以下、これらのいずれか、または４つを指して、単に駆動モジュール１８ともいう）と、電池１９と、が平面視で重ならないよう配置されている。ムーブメント１６ａの中央部に配置された駆動モジュール１８ａには、時針５、分針６が取り付けられる出力軸２０ａが設けられている。ムーブメント１６ａの９時位置に配置された駆動モジュール１８ｂには、小秒針７が取り付けられる出力軸２０ｂが設けられている。ムーブメント１６ａの６時位置に配置された駆動モジュール１８ｃには、クロノ時針８およびクロノ分針９が取り付けられる出力軸２０ｃが設けられている。ムーブメント１６ａの１２時位置に配置された駆動モジュール１８ｄには、クロノ小秒針１０が取り付けられる出力軸２０ｄが設けられている。（以降、出力軸２０ａ〜２０ｄは単に出力軸２０という）電池１９は、複数の駆動モジュール１８の駆動源、すなわち電源である。
【００２２】
図３は、多軸時計の指針の回転軸を示す断面図である。図３では、時針５および分針６が取り付けられた駆動モジュール１８ａの指針の回転軸を含む領域を拡大して示している。ムーブメント１６ａは、文字板４とケース裏蓋（不図示）との間に配置されている。ムーブメント１６ａは、前述した各指針が取り付けられる駆動モジュール１８と、駆動モジュール１８の表側に配置され駆動モジュール１８の駆動を制御する後述する回路基板３４と、駆動モジュール１８の裏側に配置され駆動モジュール１８を固定する地板１７と、を備えている。
【００２３】
（回路基板）
図３に示すように、回路基板３４は、駆動モジュール１８と回路押さえ３５との間に配置されている。回路基板３４は、プリント基板である回路基板本体に、図示しない、ＩＣ、抵抗、コンデンサー等が実装されたものである。回路基板３４は、軸方向から見て円形状に形成されている。
【００２４】
（地板）
地板１７には、駆動モジュール１８が固定される。図２Ａに示すように、地板１７は、出力軸２０が複数の位置に配置が可能なように、複数個所に指針軸用の穴３６と、地板１７の平面方向に対して駆動モジュール１８を位置決めするための複数個のピン３７と、が設けられている。さらに、地板１７は、複数個のねじ３８に対応する箇所にねじピン（不図示）が設けられており、ねじ３８を用いて、地板１７の厚み方向に対して駆動モジュール１８が固定されている。そして、地板１７の平面方向に分散配置されている駆動モジュール１８ａ〜１８ｄを覆うように回路基板３４と、回路押さえ３５とが、駆動モジュール１８に対して重ねて配置されている。ねじ３８あるいは回路押さえ３５に設けたフックなどの固定手段を介して、地板１７に対して回路基板３４と、回路押さえ３５と、が固定されている。地板１７には、複数の駆動モジュール１８ａ〜１８ｄの駆動源となる電池１９が配置される電池保持部３９が設けられ、地板１７の平面方向に対して垂直な方向からの平面視で、電池保持部３９と複数の駆動モジュール１８ａ〜１８ｄとが重ならないよう配置されている。地板１７は、例えば樹脂材料等により、軸方向を厚み方向とする板状に形成されており、軸方向から見た平面視で円形状に形成されている。なお、以下の説明では、時針５、分針６の回転中心である回転軸線２１の延在方向を軸方向といい、軸方向に直交して回転軸線２１から放射状に延びる方向を径方向という。
【００２５】
（駆動モジュール）
駆動モジュール１８の構成について、図２Ａおよび図３を参照して説明する。４つの駆動モジュール１８ａ〜１８ｄのそれぞれは、駆動モジュール１８の地板１７に相当する基板１７ａ（以降、各モジュールの基板１７ａ〜１７ｄは基板１７ａを代表例として説明する）、後述するステップモーター４０、輪列２６、輪列受２３が共通部品で構成されている。図２Ａは、ムーブメントの構成を説明するための平面図であり、ムーブメント１６ａを裏側から見た図である。図２Ａまたは図３に示すよう、駆動モジュール１８は、その外郭を形成する部材（本実施形態では基板１７ａ、地板１７および筒車押さえ２２）から突出する指針が取り付けられる出力軸２０を備えている。出力軸２０は、回転軸線２１回りに回転する。筒車押さえ２２は、地板１７の裏側に固定されている。筒車押さえ２２は、例えば金属材料等により、軸方向を厚み方向とする平板状に形成されている。駆動モジュール１８は、ステップモーター４０およびステップモーター４０の出力を伝達する輪列２６と、輪列２６を地板１７との間に軸支持し地板１７の表側に配置されている輪列受２３と、地板１７に固定された筒車押さえ２２と、を備え、ねじ３８で固定されている。またステップモーター４０は、地板１７の表側において支持され、回転軸線２１回りに配置されている。なお、本実施形態での複数の駆動モジュール１８のステップモーター４０は、それぞれ同様に（同一の構成で）形成されている。
【００２６】
（輪列受）
輪列受２３は輪列２６を基板１７ａとの間で回転可能に支持している。輪列受２３は、例えば樹脂材料等により、軸方向を厚み方向とする板状に形成されている。輪列受２３には、第１の貫通穴（不図示）が設けられ、回路基板３４には第２の貫通穴（不図示）が設けられ、地板１７の平面方向に対して垂直な方向からの平面視で、第１の貫通穴、第２の貫通穴、ねじピン（不図示）およびねじ３８を同軸上に配置して駆動モジュール１８を地板１７に固定している。また本発明における輪列受２３は、１つの駆動モジュール１８に対し１つの輪列受２３で構成されている。そのため輪列２６のメンテナンスなどを行う際に影響のない輪列２６まで外すという行為がなくなり、歯車軸支持不良、歯車かみ合い位相差ずれなどの発生を抑えることが可能となる。
【００２７】
（ステップモーター）
図２Ｂは、駆動モジュールの構成を示す平面図である。なお、図２Ｂでは、図２Ａにおける駆動モジュール１８ａを拡大して示している。図２Ｂに示すように、ステップモーター４０は、磁心４１および磁心４１に巻いたコイルワイヤー４２を含むコイルブロック４３と、コイルブロック４３の磁心４１の両端部分と接触するように配置されたステーター４４と、ステーター４４のローター孔４５に配置されたローター４６と、を有している。コイルブロック４３は、磁心４１およびコイルワイヤー４２と、磁心４１の一端部に固定されたコイルリード基板４６と、を備えている。磁心４１は、軸方向および径方向に直交する方向に沿うように延在している。磁心４１は、その両端部においてねじ３８により地板１７に対して固定されている。コイルリード基板４６は、プリント基板である。コイルリード基板４６は、磁心４１の一端部の表側に配置され、ねじ３８により磁心４１とともに共締めされている。コイルリード基板４６は、磁心４１の一端部に対する固定部から、軸方向から見て地板１７の中央部に向かって延びている。コイルリード基板４６の表面には、一対の配線が形成されている。各配線は、コイルリード基板４６の延在方向に沿って延びている。各配線における磁心側の一端部には、それぞれコイルワイヤー４２の端部が溶接される溶接端子（不図示）が形成されている。各配線の他端部には、ステップモーター４０を駆動する電気信号を受信する受信端子（不図示）が形成されている。ステーター４４は、磁心４１よりも径方向内側に配置されている。ステーター４４は、一対のねじ３８により磁心４１とともに共締めされている。ローター４６は、地板１７と輪列受２３とにより回転可能に支持されている。
【００２８】
（輪列）
輪列２６は、ステップモーター４０の駆動力を出力軸２０に伝達する。図３に示すように、輪列は歯車の集まりのことを示し、駆動モジュール１８の輪列２６は、筒車２４と、２番車２７と、３番車２８と、４番車２９と、５番車３０と、を有する（以下、単に輪列２６ともいう）。輪列２６は、地板１７と輪列受２３とにより回転可能に支持されている。
【００２９】
また筒車２４は、地板１７の裏側において中心パイプ２５に回転可能に外挿されている。中心パイプ２５は、地板１７に保持されている。中心パイプ２５は、回転軸線２１と同軸に延在し、地板１７から裏側へ突出している。つまり、筒車２４は、回転軸線２１と同軸に配置されている。筒車２４は、筒車押さえ２２に押さえられている。筒車２４は、筒車押さえ２２との間に配置された針座３１により、地板１７側に向かって付勢されている。筒車２４の裏側の端部は、筒車押さえ２２から裏側へ突出している。つまり、筒車２４は、出力軸２０である。筒車２４の裏側の端部には、指針が取り付けられる。
【００３０】
（駆動モジュールの配置）
本実施形態における複数の駆動モジュール１８ａ〜１８ｄの配置について、図１および図２Ａを参照して説明する。図１および図２Ａに示すように、本実施形態のムーブメント１６ａは、駆動モジュール１８を４つ備えている。詳しくは、ムーブメント１６ａは、時針５、分針６を駆動する駆動モジュール１８ａに加えて、小秒針７を駆動する駆動モジュール１８ｂ、クロノ時針８およびクロノ分針９を駆動する駆動モジュール１８ｃ、クロノ小秒針１０を駆動する駆動モジュール１８ｄを備えている。各駆動モジュール１８は地板１７上に配置され、複数のねじ３８により固定している。
【００３１】
以上述べたように、第１実施形態に係る時計１およびムーブメント１６ａによれば、以下の効果を得ることができる。
【００３２】
本実施形態のムーブメント１６ａは、駆動モジュール１８を４つ備え、駆動モジュール１８は指針が取り付けられる出力軸２０を備える。さらに、駆動モジュール１８は、ステップモーター４０を備え、ステップモーター４０の駆動力を出力軸２０に伝達する輪列２６を備える。また、本実施形態の駆動モジュール１８は、１つの駆動モジュール１８に対し１つの輪列受２３で構成されている。そのため、輪列２６のメンテナンスなどを行う際に影響のない輪列２６まで外すという行為がなくなり、歯車軸支持不良、歯車かみ合い位相差ずれなどの発生を抑えることが可能となる。その結果、メンテナンス作業性を向上させることができる。さらに、本実施形態の時計１は、複数の指針が取り付けられる出力軸２０を備えた多軸時計ムーブメント１６であるため、例えばクロノグラフ機能を持つことを可能とするような多機能時計とすることができる。
【００３３】
［第２実施形態］
本実施形態では、上記実施形態と同様に、多軸時計である時計１０２として、駆動モジュール１８の配置変更（駆動モジュール１８の数が３つの場合）を例に挙げ、その構成について図４および図５を参照して説明する。図４は、第２実施形態に係る多軸時計の外観を示す平面図である。図５は、ムーブメントを裏側から見た平面図である。なお、第１実施形態と同一の構成部位については、同一の番号を使用し、重複する説明は省略する。
【００３４】
図４または図５に示すように、本実施形態に係る時計１０２のコンプリートは、ケース裏蓋（不図示）およびガラス２を含む時計ケース３の内部に、３つの駆動モジュール１８ａ，１８ｂ，１８ｃ（以下、これらのいずれか、または３つを指して、単に駆動モジュール１８ともいう）を有するムーブメント１６ｂ、文字板４、指針（時針５、分針６、小秒針７、２４時針３２）、電池１９（不図示）を備える。また文字板４は、時針５、分針６に対応する主表示領域１１と、小秒針７、２４時針３２に対応する副表示領域１２と、を有する。
【００３５】
本実施形態では、指針は、第１指針、第２指針、第３指針、第４指針を含む。第１指針としての時針５および第２指針としての分針６は、時計１０２の表示面の中央部に配置されている。第３指針および第４指針はそれぞれ副表示領域１２に、小秒針７、２４時針３２を備えている。第３指針および第４指針は、時計１の表示面に対して垂直な方向からの平面視で、時針５および分針６の移動軌跡に重なるよう配置されている。
【００３６】
時針５、分針６は、地板１７の中央部に配置される駆動モジュール１８ａが備える、指針が取り付けられる出力軸２０に取り付けられ、図示しない出力軸２０の中心軸線（回転軸線）２１回りに回転する。小秒針７、２４時針３２も同様に、地板１７の９時位置に配置される駆動モジュール１８ｂ、３時位置に配置される駆動モジュール１８ｅが備える出力軸２０に取り付けられ、図示しない出力軸２０の中心軸線（回転軸線）２１回りに回転する。電池１９は、複数の駆動モジュール１８の駆動源である。
【００３７】
（駆動モジュールの配置）
本実施形態における複数の駆動モジュール１８の配置について、図４および図５を参照して説明する。本実施形態のムーブメント１６ｂは、駆動モジュール１８を３つ備えている。詳しくは、ムーブメント１６ｂは、時針５、分針６を駆動する駆動モジュール１８ａに加えて、小秒針７を駆動する駆動モジュール１８ｂ、２４時針３２を駆動する駆動モジュール１８ｅを備えている。各駆動モジュール１８は地板１７上に配置され、複数のねじ３８により固定している。
【００３８】
以上に述べたように、第２実施形態に係る多軸時計としての時計１０２によれば、第１実施形態における効果に加えて、副表示領域１２の配置を変えてデザインを変更することができる。
【００３９】
［第３実施形態］
本実施形態では、上記実施形態と同様に、多軸時計である時計１０３として、駆動モジュール１８の配置変更（駆動モジュール１８の数が２つの場合）を例に挙げ、その構成について図６および図７を参照して説明する。図６は、第３実施形態に係る多軸時計の外観を示す平面図である。図７は、ムーブメントを裏側から見た平面図である。なお、第１実施形態と同一の構成部位については、同一の番号を使用し、重複する説明は省略する。
【００４０】
図６または図７に示すように、本実施形態に係る時計１０３のコンプリートは、ケース裏蓋（不図示）およびガラス２を含む時計ケース３の内部に、複数の駆動モジュール１８を有するムーブメント１６ｃ、文字板４、指針（時針５、分針６、小秒針７）、電池１９（不図示）を備える。また文字板４は、時針５、分針６に対応する主表示領域１１と、小秒針７に対応する副表示領域１２と、を有する。
【００４１】
本実施形態では、指針は、第１指針、第２指針、第３指針を含む。第１指針としての時針５および第２指針としての分針６は、時計１の表示面の中央部に配置されている。第３指針は副表示領域１２に、小秒針７を備えている。第３指針は、時計１０３の表示面に対して垂直な方向からの平面視で、時針５および分針６の移動軌跡に重なるよう配置されている。
【００４２】
時針５、分針６は、前述した駆動モジュール１８が備える、指針が取り付けられる出力軸２０に取り付けられ、図示しない出力軸２０の中心軸線（回転軸線）２１回りに回転する。小秒針７も同様に、駆動モジュール１８が備える出力軸２０に取り付けられ、図示しない出力軸２０の中心軸線（回転軸線）２１回りに回転する。電池１９は、複数の駆動モジュール１８の駆動源である。
【００４３】
（駆動モジュールの配置）
本実施形態における複数の駆動モジュール１８の配置について、図６および図７を参照して説明する。本実施形態のムーブメント１６ｃは、駆動モジュール１８を２つ備えている。詳しくは、ムーブメント１６ｃは、時針５、分針６を駆動する駆動モジュール１８ａに加えて、小秒針７を駆動する駆動モジュール１８ｂを備えている。駆動モジュール１８ａ，１８ｂは地板１７上に配置され、複数のねじ３８により固定している。
【００４４】
以上に述べたように、第３実施形態に係る多軸時計としての時計１０３によれば、第１実施形態における効果に加えて、副表示領域１２の配置を変えてデザインを変更することができる。
【００４５】
［第４実施形態］
第４実施形態では、上記実施形態と同様に、多軸時計である時計１０４として、駆動モジュール１８の方向変更による針表示の仕方を例に挙げ、その構成について図８および図９を参照して説明する。図８は、第４実施形態に係る多軸時計の外観を示す平面図である。図９は、ムーブメントを裏側から見た平面図である。なお、第１実施形態と同一の構成部位については、同一の番号を使用し、重複する説明は省略する。
【００４６】
図８または図９に示すように、本実施形態に係る時計１０４のコンプリートは、ケース裏蓋（不図示）およびガラス２を含む時計ケース３の内部に、複数の駆動モジュール１８を有するムーブメント１６ｄ、文字板４、指針（時針５、分針６、小秒針７、曜日表示針３３）、電池１９（不図示）を備える。また文字板４は、時針５、分針６に対応する主表示領域１１と、小秒針７、曜日表示針３３に対応する副表示領域１２と、を有する。なお、時計１０４のコンプリートは、曜日表示針３３に代えて日付表示針を有していてもよい。
【００４７】
本実施形態では、指針は、第１指針、第２指針、第３指針、第４指針を含む。第１指針としての時針５および第２指針としての分針６は、時計１０４の表示面の中央部に配置されている。第３指針および第４指針はそれぞれ副表示領域１２に、小秒針７、曜日表示針３３を備えている。第３指針および第４指針は、時計１０４の表示面に対して垂直な方向からの平面視で、時針５および分針６の移動軌跡に重なるよう配置されている。
【００４８】
時針５、分針６は、前述した駆動モジュール１８が備える、指針が取り付けられる出力軸２０に取り付けられ、図示しない出力軸２０の中心軸線（回転軸線）２１回りに回転する。小秒針７、曜日表示針３３も同様に、各々の駆動モジュール１８が備える出力軸２０に取り付けられ、図示しない出力軸２０の中心軸線（回転軸線）２１回りに回転する。電池１９は、複数の駆動モジュール１８の駆動源である。
【００４９】
（駆動モジュールの配置）
本実施形態における複数の駆動モジュール１８の配置について、図８および図９を参照して説明する。本実施形態のムーブメント１６ｄは、駆動モジュール１８を３つ備えている。詳しくは、ムーブメント１６ｄは、時針５、分針６を駆動する駆動モジュール１８ａに加えて、小秒針７を駆動する駆動モジュール１８ｂ、曜日表示針３３を駆動する駆動モジュール１８ｆを備えている。駆動モジュール１８ａ，１８ｂ，１８ｆは地板１７上に配置され、複数のねじ３８により固定している。また駆動モジュール１８ｆは、前述した第１実施形態および第３実施形態における駆動モジュール１８の方向変更によるものである。駆動モジュール１８の方向変更により針表示の仕方を変えることができる。
【００５０】
以上に述べたように、第４実施形態に係る多軸時計としての時計１０４によれば、第３実施形態における効果に加えて、デザインを変更すると共に、曜日を表示させることができる。
【００５１】
以下に、実施形態から導き出される内容を記載する。
【００５２】
多軸時計ムーブメントは、基板と、基板上にあって、ステップモーターおよびステップモーターの出力を伝達する輪列と、輪列を基板との間に軸支持する輪列受と、を備える複数の駆動モジュールと、駆動モジュールの各々を、異なる位置に固定する地板と、を備える。
【００５３】
この構成によれば、多軸時計におけるメンテナンスなどの作業性を向上させることができる。詳しくは、地板に複数の駆動モジュールが固定されて多軸時計ムーブメントが構成されている。そのため、輪列などのメンテナンスでは、メンテナンス対象の駆動モジュールのみ外せばよく、他の駆動モジュールを外さずにメンテナンスを行うことができる。これにより、歯車軸支持不良、歯車かみ合い位相差ずれなどの発生が抑えられる。すなわち、メンテナンスなどの作業性を向上させた多軸時計ムーブメントを提供することができる。
【００５４】
上記の多軸時計ムーブメントにおいて、駆動モジュールの各々は、基板、ステップモーター、輪列および輪列受が共通部品で構成されており、指針が取り付けられる出力軸を備えていることが好ましい。
【００５５】
この構成によれば、駆動モジュールの部品を共通化することができ駆動モジュールのコストが抑えられる。詳しくは、複数の駆動モジュールは、基板、ステップモーター、輪列および輪列受で構成されている。すなわち、複数の駆動モジュールとして、同一の駆動モジュールを複数用いている。これにより、駆動モジュールのコストを削減することができる。また、駆動モジュールには指針が取り付けられる出力軸を備えているため、駆動モジュール単体で針指示できる。
【００５６】
上記の多軸時計ムーブメントにおいて、駆動モジュールの各々は、輪列が共通部品で構成されていることが好ましい。
【００５７】
この構成によれば、駆動モジュールの輪列を共通化することができ輪列のコストが抑えられる。詳しくは、駆動モジュールは、複数の輪列で構成されている。すなわち、駆動モジュールの各々は、同一の輪列を複数用いている。これにより、駆動モジュールの輪列をコスト削減することができる。
【００５８】
上記の多軸時計ムーブメントにおいて、出力軸には、小秒針、分針、時針、２４時針、曜日表示針および日付表示針のいずれかが取り付けられることが好ましい。
【００５９】
この構成によれば、出力軸に指針を取り付けることが可能となり、時刻、曜日などを表示させることができる。詳しくは、上記駆動モジュールは、指針が取り付けられる出力軸を備えている。そのため、各駆動モジュールに対し、小秒針、分針、時針、２４時針、曜日表示針および日付表示針のいずれかを取り付けることができる。すなわち、時刻、曜日などが表示可能である。
【００６０】
上記の多軸時計ムーブメントにおいて、地板は、出力軸が複数の位置に配置が可能なように、複数個所に穴が設けられていることが好ましい。
【００６１】
この構成によれば、各駆動モジュールを複数の位置に配置することができ、商品展開がし易くなる。詳しくは、上記地板には複数個所に出力軸用の穴が設けられている。そのため各駆動モジュールを複数の位置に自由に配置することができる。すなわち、各駆動モジュールの配置を変更することで別商品にすることができる。
【００６２】
上記の多軸時計ムーブメントにおいて、地板には、複数の駆動モジュールの駆動源となる電池が配置される電池保持部が設けられ、地板の平面方向に対して垂直な方向からの平面視で、電池保持部と複数の駆動モジュールとが重ならないよう配置されていることが好ましい。
【００６３】
この構成によれば、多軸時計ムーブメント内のスペースの最大活用、多軸時計の薄型化ができる。詳しくは、上記地板には平面方向に対して、電池保持部と複数の駆動モジュールとが重ならないよう配置されている。そのため、平面方向に電池保持部を除いて複数の駆動モジュールを配置することができる。すなわち、多軸時計の薄型化につながる。
【００６４】
上記の多軸時計ムーブメントにおいて、地板に配置されるねじピンと、ねじと、をさらに備え、輪列受には第１の貫通穴が設けられ、基板には第２の貫通穴が設けられ、地板の平面方向に対して垂直な方向からの平面視で、第１の貫通穴、第２の貫通穴、ねじピンおよびねじを同軸上に配置して駆動モジュールを地板に固定していることが好ましい。
【００６５】
この構成によれば、各駆動モジュールはねじで固定でき、垂直方向の位置決めができる。詳しくは、上記地板には、ねじピンが配置されている。そのため、貫通穴が設けられた輪列受と基板を垂直方向に固定できる。すなわち、各駆動モジュールを垂直方向に位置決めできる。
【００６６】
時計は、上記の多軸時計ムーブメントと、複数の駆動モジュールの駆動源である電源と、第１指針と、第２指針と、第３指針と、を備える。
【００６７】
この構成によれば、複数の指針を備えながら、輪列などのメンテナンスにおいて作業性を向上させた時計を提供することができる。詳しくは、上記時計は多軸時計ムーブメントとして、上記電源と、第１指針と、第２指針と、第３指針と、を備えた複数の駆動モジュールで構成されている。指針は複数備えているが、各駆動モジュールは、１つの駆動モジュールに輪列および１つの輪列受で構成されている。そのため、輪列などのメンテナンスにおいて作業がし易い。すなわち、メンテナンスにおいて作業性が向上できる。
【００６８】
上記の時計において、第１指針は時針であり、第２指針は分針であり、時針および分針は時計の表示面の中央部に配置され、第３指針は小秒針、２４時針、曜日表示針および日付表示針のいずれかであり、表示面に対して垂直な方向からの平面視で、第３指針は時針および分針の移動軌跡に重なるよう配置されていることが好ましい。
【００６９】
この構成によれば、駆動モジュールの配置変更で様々な指針の表示ができ、商品展開し易い。詳しくは、例えば、ストップウォッチ機能などを持つクロノグラフタイプのモデルは、時計の表示面の中央部に時針および分針が配置される。そして小秒針、２４時針、曜日表示針および日付表示針などは時針および分針の移動軌跡に重なるよう配置されている。そのため、第３指針に関しては、駆動モジュールの配置変更で様々な指針の表示ができる。すなわち、商品展開につながる。
【符号の説明】
【００７０】
１，１０２，１０３，１０４…時計、２…ガラス、３…時計ケース、４…文字板、５…時針、６…分針、７…小秒針、８…クロノ時針、９…クロノ分針、１０…クロノ小秒針、１１…主表示領域、１２…副表示領域、１３…ボタン、１４…リューズ（巻針）、１５…バンド、１６，１６ａ，１６ｂ，１６ｃ，１６ｄ…ムーブメント、１７…地板、１７ａ，１７ｂ，１７ｃ，１７ｄ，１７ｅ，１７ｆ…基板（駆動モジュールの地板に相当する）、１８，１８ａ，１８ｂ，１８ｃ，１８ｄ，１８ｅ，１８ｆ…駆動モジュール、１９…電池、２０，２０ａ，２０ｂ，２０ｃ，２０ｄ，２０ｅ，２０ｆ…出力軸、２１…中心軸線（回転軸線）、２２…筒車押え、２３…輪列受、２４…筒車、２５…中心パイプ、２６…輪列、２７…２番車、２８…３番車、２９…４番車、３０…５番車、３１…針座、３２…２４時針、３３…曜日表時針、３４…回路基板、３５…回路押さえ、３６…穴（指針軸用）、３７…ピン（位置決め用）、３８…ねじ、３９…電池保持部、４０…ステップモーター、４１…磁心、４２…コイルワイヤー、４３…コイルブロック、４４…ステーター、４５…ローター孔、４６…ローター。
【図１】
2020153893.tif 000003
【図２Ａ】
2020153893.tif 000004
【図２Ｂ】
2020153893.tif 000005
【図３】
2020153893.tif 000006
【図４】
2020153893.tif 000007
【図５】
2020153893.tif 000008
【図６】
2020153893.tif 000009
【図７】
2020153893.tif 000010
【図８】
2020153893.tif 000011
【図９】
2020153893.tif 000012